(57)【要約】【課題】低コストで確実にプラテンからフレームへの振動伝達を防止し、印字ヘッドとプラテンの間隔を高精度に確保できるものとする。【解決手段】プラテン５０は焼付けで接合された弾性ブロック５５を介してサブフレームのフランジ部４６に支持される。弾性ブロックは、雌ネジを備えるインサート６０を弾性材のブロック本体５７に埋め込んでなり、インサートはブロック本体とプラテンとの接合面からは離間している。インサート６０の下端面をフランジ部４６に当接させて固定ネジ５８で結合することにより、弾性ブロック５５がサブフレームに固定されるとともに、インサート６０はプラテン５０と直接接続していないから、プラテン５０の振動は弾性ブロック５５で減衰され大きな印字音を発生させない。固定ネジ５８の締め付けでブロック本体５７が撓むことがないので、印字ヘッド７６とプラテン５０間の間隙が変動しない。【選択図】            図４
2004276297.tif 000002
【特許請求の範囲】
【請求項１】
印字ヘッドと、印字ヘッドのストローク方向に印字ヘッドに対向して延びるプラテンとを備え、印字ヘッドのインパクト力により印字ヘッドとプラテン間の用紙に印字するインパクトプリンタにおいて、
前記プラテンはその両端に接合された弾性ブロックを介してフレームに支持され、
前記弾性ブロックは、弾性材のブロック本体と、該ブロック本体に結合するとともに前記フレームと当接する当接面を備える固定用部材とからなり、該固定用部材は前記ブロック本体と前記プラテンとの接合面からは離間しており、
前記固定用部材と前記フレームとを連結部材で結合することにより、前記弾性ブロックが前記フレームに固定されていることを特徴とするインパクトプリンタ。
【請求項２】
前記弾性ブロックは、前記プラテンの前記印字ヘッドと対向する面と反対側の裏面に焼付けで接合され、
前記固定用部材は、前記接合面と反対側の面に前記当接面を備えて、該当接面を前記フレームに載置していることを特徴とする請求項１記載のインパクトプリンタ。
【請求項３】
前記固定用部材は、前記ブロック本体に鋳込まれたインサートであり、
該インサートには前記当接面に開口する雌ネジが形成され、
前記フレームには、前記雌ネジに対応するネジ穴が形成され、
前記連結部材が、前記ネジ穴からインサートの前記雌ネジにねじ込まれて前記インサートとフレームを結合する固定ネジであることを特徴とする請求項１または２記載のインパクトプリンタ。
【請求項４】
前記固定用部材は、前記ブロック本体に接合された板部と、該板部から外方に延びる雄ネジとからなり、
前記フレームには、前記雌ネジに対応するネジ穴が形成され、
前記連結部材が、前記ネジ穴に挿し込まれた前記雄ネジにねじ込まれて前記板部とフレームを結合するナットであることを特徴とする請求項１または２記載のインパクトプリンタ。
【発明の詳細な説明】
【０００１】
【発明の属する技術分野】
本発明は、インパクト方式を用いて用紙に印字を行うインパクトプリンタに関する。
【０００２】
【従来の技術】
【特許文献１】特開平１０−３３７９１７号公報
インパクト方式を用いて用紙に印字を行うインパクトプリンタとして、インパクトドットプリンタ、デジーホイールプリンタ、あるいはタイプライタ等がある。例えばインパクトドットプリンタでは、複数のワイヤピンを備える印字ヘッドをプラテンに対向させ、両者の間に用紙をセットすることにより、用紙を裏支えしてワイヤピンのインパクト力により印字する。
このように用紙を裏支えするプラテンは、従来、その両端をインパクトプリンタのフレームに直接ネジで固定していた。
【０００３】
印字ヘッドにより印字する際には、ワイヤピンが用紙を介してプラテンを叩くので、これによりプラテンが振動する。しかし、従来のインパクトプリンタではプラテンがフレームに直接ネジで固定されていたので、プラテンの振動が金属板で構成されたフレームに伝達され、大きな印字音に増幅されてしまうという問題があった。
【０００４】
この対策として、図９の（ａ）に示すように、プラテン８０とフレーム８２の間にゴム等の弾性体８４を挟んで印字ヘッド７６とプラテン８０の間隔が設定値Ｇとなるようにネジ止めすることが考えられる。しかし、ネジ８６の締め込み量によっては、（ｂ）のように、弾性体８４が撓んでしまい、その撓み量のため印字ヘッド７６とプラテン８０との間隔が変動するので、間隔Ｇ’となり、目標値Ｇの精度が確保できなくなり、とくに複数枚を重ねて印字する場合、印字ヘッドから一番遠くなるプラテン側の印字品質が悪化するという問題がある。また、プラテン８０とフレーム８２の間に弾性体８４を挟んでいても、ネジ８６自体がプラテン８０とフレーム８２の両者に連結あるいは接触しているので、振動遮断の効果も期待できない。
一方、弾性体８４の撓み量を一定とするために、図９の（ｃ）に示すように、スリーブ８７を設けて、スリーブ８７を貫通させたネジ８６で連結すると、プラテン８０とフレーム８２がスリーブ８７によって直接結合されたと同じことになり、大きな印字音を発生させてしまう。
【０００５】
そこで、例えば特開平１０−３３７９１７号公報には、ゴムブロックを用いて振動遮断を図り、かつ印字ヘッドとプラテンの間隔の精度を確保しようとする提案がなされている。
この従来例では、図１０の（ａ）に示すように、プラテン９０の両端にそれぞれネジ９４によりゴムブロック９２が装着され、ゴムブロック９２はさらに２組のネジ９５およびナット９６によりフレーム９７に取り付けられている。
【０００６】
ゴムブロック９２には、（ｂ）に示すように、各ネジを通す１本のスリーブ９８、２本のスリーブ９９が設けられており、ネジ９４がプラテン９０にネジ込まれても、ゴムブロック９２の厚み方向の撓みはスリーブ９８の長さで一定に規制される。同様に、ゴムブロック９２の横方向の撓みもスリーブ９９の長さによって一定に規制される。そして、プラテン９０にネジ込まれたネジ９４とゴムブロック９２をフレーム９７に取り付けるネジ９５とを直接接触させないことにより、プラテン９０の振動をゴムブロック９２で減衰させ、フレーム９７への伝達を防止しようとしている。
【０００７】
【発明が解決しようとする課題】
しかしながら、上記特開平１０−３３７９１７号公報の従来技術では、ゴムブロック９２をプラテン９０に装着しフレーム９７に取りつけるために３本のネジと３本のスリーブが必要となり、部品点数およびコストの増大を招くという問題がある。
また、同じく部品点数が多く、しかもネジ９４、９５の挿し込み方向が異なるため、組み立てにも手間がかかる。
【０００８】
したがって本発明は、上記従来の問題点に鑑み、低コストで確実にプラテンからフレームへの振動伝達を防止し、印字ヘッドとプラテンの間隔を高精度に確保できるインパクトプリンタを提供することを目的とする。
【０００９】
【課題を解決するための手段】
このため本発明は、インパクトプリンタのプラテンがその両端に接合された弾性ブロックを介してフレームに支持され、弾性ブロックは、弾性材のブロック本体と、該ブロック本体に結合するとともにフレームと当接する当接面を備える固定用部材とからなり、その固定用部材とフレームとを連結部材で結合することにより、弾性ブロックがフレームに固定されているものとした。そして、固定用部材はブロック本体とプラテンとの接合面からは離間させたものである。
【００１０】
【発明の効果】
プラテンに弾性ブロックを接合し、ブロック本体に結合された固定用部材がフレームと当接する当接面を備えているので、固定用部材とフレームとを連結部材で結合するだけで、弾性ブロックを介してプラテンをフレームに支持できる。また、固定用部材はブロック本体とプラテンとの接合面からは離間して、直接プラテンとは接続していないから、プラテンの振動は弾性ブロックで減衰され、印字音の発生が有効に防止される。
そして、固定用部材のフレームへの取り付け態様によってブロック本体が撓むこともないので、弾性ブロックの高さ寸法が変化せず、印字ヘッドとプラテン間の間隙を高精度のものとすることができる。
【００１１】
【発明の実施の形態】
以下、本発明の実施の形態を実施例により説明する。
図１は第１の実施例にかかるインパクトプリンタの内部構造を一部上下に分離して示す概略斜視図である。
ベースユニット１０は下部フレーム２０に固定されたテーブル１２を備え、テーブル１２には、プラテン５０が臨むスリット状の開口１４と、用紙送りローラ３２が臨む矩形の開口１６とが設けられている。図中、左手前が用紙挿入口となり、スリット状の開口１４は用紙送り方向に対して直角方向に延びている。
【００１２】
ベースユニット１０の上側に設置されるプリンタ機構ユニット７０は、上部フレーム７２の下端部にベースユニット１０のテーブル１２に対して所定の間隙をもって対向させるガイドプレート７４を備え、ガイドプレート７４の上側に印字ヘッド７６を備えている。印字ヘッド７６は、用紙送り方向に対して直角方向に上部フレーム７２に張り渡されたガイドロッド７８にそってストローク可能となっている。
すなわち、プラテン５０は印字ヘッド７６のストローク方向に印字ヘッド７６に対向して延びており、印字ヘッド７６のインパクト力により印字ヘッド７６とプラテン５０間の用紙に印字する。
【００１３】
図２は、ベースユニット１０のテーブル１２を取り外して下部フレーム２０の内側を示す図である。
下部フレーム２０の底壁２２にモータ台ユニット３０が取り付けられている。モータ台ユニット３０は、サブフレーム４０に用紙送りローラ３２とモータ３８を支持し、さらにプラテン５０を支持している。
すなわち、サブフレーム４０は下部フレーム２０の底壁２２に重ねて取り付けられるベース壁４２と、ベース壁４２の両端から立ち上がる側壁４４とを有し、用紙送りローラ３２を固定したローラ軸３４の両端を側壁４４、４４に貫通させて、当該ローラ軸３４を支持している。
【００１４】
ローラ軸３４の一端にはプーリ３５が固定され、モータ３８とプーリ３５の間がベルト３６で連結されており、これにより用紙送りローラ３２がモータ３８で回転駆動される。
サブフレーム４０の側壁４４は、ローラ軸３４の貫通部の後方において、後述するように、内側へ直角に折り曲げられ、ベース壁４２と平行のフランジ部４６となっている。このフランジ部４６にプラテン５０の両端が支持される。
【００１５】
図３は、ベースユニット１０とプリンタ機構ユニット７０とを組み立てた状態における印字ヘッド７６とモータ台ユニット３０との相対配置を示している。
印字ヘッド７６は、ガイドロッド７８にそってストロークするとき、その図示しないワイヤピンがプラテン５０の上面上を所定の間隙でスライドするようになっている。ここでの所定の間隙は、用紙の厚さに対して微少な余裕をもたせてレベルに設定されている。
サブフレーム４０のフランジ部４６に支持されるプラテン５０の両端には弾性ブロック５５が焼き付けられており、プラテン５０はこの弾性ブロック５５を介してフランジ部４６に取り付けられる。
【００１６】
図４は、プラテン５０の支持構造の詳細を示す断面図である。
プラテン５０の両端にはそれぞれ、印字ヘッド７６に対向する上面５０ａと反対側の裏面５０ｂに、ゴムなどの弾性材からなるブロック本体５７が焼付けにより固定されている。
弾性ブロック５５の下面は、サブフレーム４０のフランジ部４６に対応している。
弾性ブロック５５の下面側にはブロック本体５７に固定用部材としてのインサート６０が埋め込まれている。
【００１７】
図５に拡大して示すように、インサート６０の下端面６２は周囲のブロック本体５７の下面と面一とされ、インサート６０には上下方向に雌ネジ６４が形成されて、該雌ネジは下端面６２に開口している。下端面６２はフランジ部４６との当接面となる。
図４に戻って、インサート６０の長さは弾性ブロック５５の高さ寸法Ｈより短く、好ましくはインサート６０の長さをＨの２／３までとして、インサート６０の上端は弾性ブロック５５の上面（プラテン５０の裏面５０ｂ）より低い位置に止まる。
【００１８】
インサート６０の雌ネジ６４に対応して、サブフレーム４０のフランジ部４６にはネジ穴４７が設けられ、フランジ部４６の下方からネジ穴４７を通して固定ネジ５８をインサート６０の雌ネジ６４にねじ込むことにより、弾性ブロック５５がフランジ部４６に固定され、したがってプラテン５０がサブフレーム４０に固定される。
弾性ブロック５５の高さ寸法Ｈは、印字ヘッド７６とプラテン５０間の間隙がが設定値Ｇとなるよう設定されている。
【００１９】
固定ネジ５８は、下端面６２が弾性ブロック５５の下面と面一であるインサート６０を、フランジ部４６に締め付けるだけであるから、固定ネジ５８の締め具合によって弾性ブロック５５の高さ寸法Ｈが変化することはない。
また、サブフレーム４０とプラテン５０の間は弾性ブロック５５のみで接続しているから、プラテン５０の振動は弾性ブロック５５で減衰され、サブフレーム４０へ伝達されない。
【００２０】
本実施の形態は以上のように構成され、プラテン５０はその両端に接合された弾性ブロック５５を介してサブフレーム４０に支持され、弾性ブロック５５は、弾性材のブロック本体５７にサブフレーム４０のフランジ部４６と当接する当接面を備えるインサート６０を埋め込んでなり、インサート６０はブロック本体５７とプラテン５０との接合面からは離間しているものとした。これにより、インサート６０とフランジ部４６とを固定ネジ５８で結合することにより、弾性ブロック５５がサブフレーム４０、したがってまた下部フレーム２０に固定されるとともに、インサート６０はプラテン５０と直接接続していないから、プラテン５０の振動は弾性ブロック５５で減衰されサブフレーム４０および下部フレーム２０に伝達されず、大きな印字音を発生させない。
【００２１】
また、弾性ブロック５５をフランジ部４６に結合するに際して、ブロック本体５７を圧縮することがないので、弾性ブロック５５の高さ寸法が変化することはなく、したがって、印字ヘッド７６とプラテン５０間の間隙を高精度のものとすることができる。
そして、プラテン５０をサブフレーム４０に取り付ける際の部品は１本のネジだけであるから、構成簡単で、低コストである。
【００２２】
また、弾性ブロック５５はプラテン５０の裏面に焼付けで接合されて確実に接続されるとともに、インサート６０は接合面と反対側の面に当接面を備えて、これをフランジ部４６の上に載せる配置となっているので、実質上プラテン５０の自重によって変位することなく、あるいは印字中の印字ヘッド７６によるインパクト力によっても変位することはないので、振動伝達を防止しながら高い剛性を有する。
【００２３】
図６は変形例を示す。（ａ）は図４の片側部分に相当する断面図、（ｂ）はサブフレームの外側から見た斜視図である。
プラテン５０の裏面に接合される弾性ブロックとして、インサート６０をその当接面が側方を向くように側面に埋め込んだ弾性ブロック５５’を用い、サブフレームの側壁４４’に切り起こし等により弾性ブロック５５’の受け面４８を設ける。
側壁４４’にはネジ穴４７が設けられる。インサート６０の当接面を側壁４４’に当接させるとともに、弾性ブロック５５’の下面を受け面４８に当接させて、側壁４４’の側方からネジ穴４７を通して固定ネジ５８をインサート６０の雌ネジ６４にねじ込むことにより、弾性ブロック５５’が側壁４４’に固定される。
この変形例によっても同様の効果を奏する。
【００２４】
図７は第２の実施例を示す図４相当の断面図である。これは第１の実施例に対して固定用部材を異ならせたものである。
弾性ブロック５５Ａがそのブロック本体５７Ａを第１の実施例と同様にプラテン５０の両端裏面に焼付けにより接合させてある。
弾性ブロック５５Ａはその下面に固定用部材としてのブラケット６５を備える。ブラケット６５は板部６６と板部６６の中央に溶接されて外方（図では下方）に延びる雄ネジ６７とからなり、板部６６とブロック本体５７Ａとは焼付けにより接合されている。
【００２５】
サブフレーム４０の側壁４４から水平方向に延びるフランジ部４６にはネジ穴４７が設けられている。ブラケット６５の雄ネジ６７をフランジ部４６の上方からネジ穴４７に通し、板部６６の下面をフランジ部４６に当接させてナット６８で固定することにより、プラテン５０がサブフレームに固定される。
ここでは、板部６６の下面が当接面となっている。
その他の構成は第１の実施例と同じである。
【００２６】
弾性ブロック５５Ａのサブフレーム４０への取り付けは、ブラケット６５とフランジ部４６とをその雄ネジ６７とナット６８で結合するだけであり、ブラケット６５はプラテン５０と直接接続していないから、プラテン５０の振動は弾性ブロック５５Ａで減衰されてサブフレーム４０および下部フレーム（２０）に伝達されず、また、ナット６８の締め具合によって弾性ブロック５５Ａの高さ寸法が変化することもない。
したがってこの第２の実施例によっても、第１の実施例と同じ効果が得られる。
【００２７】
図８は第２の実施例の変形例を示す断面図である。
第１の実施例の変形例と同じく、サブフレームの側壁４４’に切り起こし等により受け面４８を設け、またネジ穴４７が設けられる。
プラテン５０の裏面に接合される弾性ブロックとして、側面に固定用部材としてのブラケット６５’を備える弾性ブロック５５Ａ’を用いる。ブラケット６５’は板部６６’と板部６６’の中央に溶接されて外方（図では側方）に延びる雄ネジ６７とからなり、板部６６’とブロック本体５７Ａ’とは焼付けにより接合されている。
【００２８】
ブラケット６５’の雄ネジ６７を側壁４４’の側方からネジ穴４７に通し、板部６６’を側壁４４’に当接させるとともに、弾性ブロック５５Ａ’の下面を受け面４８に当接させて、ナット６８で固定することにより、プラテン５０がサブフレームに固定される。
なお、ブラケット６５’の板部６６’は弾性ブロック５５Ａ’の高さ寸法Ｈよりも小さくして、板部６６’の端縁がプラテン５０と接触しないように設定される。
この変形例によっても同様の効果を奏する。
【００２９】
なお、上記各実施例ではプラテン５０を弾性ブロックを介して支持するフレームは、モータ台ユニット３０におけるサブフレーム４０のフランジ部４６あるいは側壁４４’としたが、これに限定されず、ベースユニットを構成する下部フレームにフランジ部等を形成して使用することもでき、要はベースユニットにおける固定側部材であればよい。
【図面の簡単な説明】
【図１】第１の実施例にかかるインパクトプリンタの内部構造を示す概略斜視図である。
【図２】ベースユニットの下部フレームの内側を示す図である。
【図３】印字ヘッドとモータ台ユニットとの相対配置を示す図である。
【図４】プラテンの支持構造の詳細を示す断面図である。
【図５】弾性ブロックを示す拡大断面図である。
【図６】変形例を示す断面図である。
【図７】第２の実施例におけるプラテンの支持構造の詳細を示す断面図である。
【図８】第２の実施例の変形例を示す断面図である。
【図９】従来例を示す図である。
【図１０】他の従来例を示す図である。
【符号の説明】
１０      ベースユニット
１２      テーブル
１４、１６    開口
２０      下部フレーム
２２      底壁
３０      モータ台ユニット
３２      用紙送りローラ
３４      ローラ軸
３５      プーリ
３６      ベルト
３８      モータ
４０      サブフレーム（フレーム）
４２      ベース壁
４４、４４’    側壁
４６      フランジ部
４７      ネジ穴
４８      受け面
５０      プラテン
５０ａ    上面
５０ｂ    裏面
５５、５５’、５５Ａ、５５Ａ’    弾性ブロック
５７、５７Ａ    ブロック本体
５８      固定ネジ（連結部材）
６０      インサート（固定用部材）
６２      下端面（当接面）
６４      雌ネジ
６５、６５’    ブラケット（固定用部材）
６６、６６’    板部
６７      雄ネジ
６８      ナット（連結部材）
７０      プリンタ機構ユニット
７２      上部フレーム
７４      ガイドプレート
７６      印字ヘッド
７８      ガイドロッド
【図１】
2004276297.tif 000003
【図２】
2004276297.tif 000004
【図３】
2004276297.tif 000005
【図４】
2004276297.tif 000006
【図５】
2004276297.tif 000007
【図６】
2004276297.tif 000008
【図７】
2004276297.tif 000009
【図８】
2004276297.tif 000010
【図９】
2004276297.tif 000011
【図１０】
2004276297.tif 000012